(57)【要約】      （修正有）【課題】バラ状態に収容された複数本の箸束から１膳分（２本）ずつ確実に且つ衛生的に取り出すことができる箸の繰出装置を提供する。【解決手段】バラ状態の複数本の箸を横倒し収容可能であり、１本分又は２本分の箸が通過可能な箸落下出口２１が設けられたホッパー状の箸収容部２と、箸落下出口の直下に配設され、箸落下出口から落下する２本の箸を受容する箸受容溝３１が形成されると共に、略水平方向に進退動作可能な箸受容スライド部材３と、箸受容溝に受容した２本の箸を上方から下方に通過させる箸通過溝４１が形成されたスライド部材支持部４と、箸受容スライド部材の進退動作を作動させて２本の箸の箸繰出操作を行うと共に、箸繰出操作によって前記箸通過溝を通過した２本の箸を受け止めて装置正面側の箸取出位置まで排出する構成を有する箸繰出操作部材５と、を有して成る箸の繰出装置１である。【選択図】図１
0003156668.tif 000002
【実用新案登録請求の範囲】
【請求項１】
１本１本独立したバラ状態の複数本の箸を横倒し状態で収容可能であり、底部に箸の長手方向に形成されると共に１本分又は２本分の箸が通過可能な間隔を有する間隙から成る箸落下出口が設けられたホッパー状の箸収容部と、
該箸収容部の箸落下出口の直下に上面が当接乃至は近接した状態で配設され、前記箸落下出口から落下する２本の箸を受容する箸受容溝が形成されると共に、箸の長手方向と直交する略水平方向に移動・復帰する進退動作可能な板部材である箸受容スライド部材と、
前記箸受容スライド部材が進退動作可能に載置されると共に、前記箸受容溝に受容した２本の箸を上方から下方に通過させる箸通過溝が形成されたスライド部材支持部と、
前記箸受容スライド部材の移動・復帰する進退動作を作動させて２本の箸の箸繰出操作を行うと共に、箸繰出操作によって前記箸通過溝を通過した２本の箸を受け止めて装置正面側の箸取出位置まで排出する構成を有する箸繰出操作部材と、
を有して成る箸の繰出装置であって、
前記箸受容スライド部材は、箸繰出しの非操作時は箸受容溝と前記箸落下出口との位置が連通状態となるように一致しており、箸繰出操作によって前記箸受容スライド部材が移動した時に箸受容溝と前記箸落下出口との位置が前記箸受容溝の上方が閉塞状態となるように不一致となる構成であり、
前記スライド部材支持部は、箸繰出しの非操作時は箸通過溝と前記箸受容溝との位置が不一致となることで前記箸受容溝の下方を閉塞しており、箸繰出操作によって前記箸受容スライド部材が移動した時に箸通過溝と前記箸受容溝との位置が一致することで前記箸受容溝と箸通過溝とが連通して前記箸受容溝内に受容された２本の箸を箸通過溝内を通過させて下方に排出する構成であり、
前記繰出操作部材は、前記スライド部材支持部の下方である繰出装置内の下部に配設される操作本体部と、該操作本体部の手前側上部から箸排出方向に延伸状態に連設した操作アーム部とを有して成り、
操作本体部は、該操作本体部の前傾と前記箸受容スライド部材の移動とが連動する構成であり、
操作アーム部は、２本の箸を前記箸受容溝から箸通過溝を通過させて該箸通過溝から下方に排出させて前記２本の箸を繰出す構成であること、
を特徴とする箸の繰出装置。
【請求項２】
前記操作本体部は、該操作本体部の手前側下部において、箸の長手方向と平行の水平方向に配設された回動軸に軸支されることで前記箸受容部の移動方向と同様の方向である手前方向に前傾可能に支持されており、且つ、該操作本体部の上部が連結部材を介して前記箸受容スライド部材と接続されることで該操作本体部の前傾と前記箸受容スライド部材の移動とが連動する構成であることを特徴とする請求項１に記載の箸の繰出装置。
【請求項３】
前記操作アーム部は、該操作アーム部を下方に向けて押し下げ操作することで該操作アーム部と連設する操作本体部を前傾可能であり、且つ前記押し下げ操作によって前記箸受容スライド部材を移動させて２本の箸を前記箸受容溝から箸通過溝を通過させて該箸通過溝から下方に排出させて前記２本の箸を繰出す構成であることを特徴とする請求項１又は２に記載の箸の繰出装置。
【請求項４】
前記箸収容部の底部の少なくとも一部が、箸の長手方向と平行に配設された回動軸に揺動可能に軸支された板部材から成る箸整列板であり、
該箸整列板を揺動させる構成が、
（１）前記箸受容スライド部材の上面の少なくとも一部に突起が設けられ、該箸受容スライド部材が移動した際に前記箸整列板の下面に当接して前記箸整列板を揺動させる構成、
（２）前記箸受容スライド部材の上面の少なくとも一部に凹溝が設けられ、該箸受容スライド部材が移動した際に、該箸受容スライド部材と接する前記箸整列板の一部が前記凹溝内に入り込むことで前記箸整列板を揺動させる構成、
（３）前記箸整列板の下面の少なくとも一部に突起が設けられ、前記箸受容スライド部材が移動した際に前記箸受容スライド部材の上面に当接して前記箸整列板を揺動させる構成、
（４）上記（１）〜（３）に示す全てを組み合わせた構成、又は選択した２つを組み合わせた構成により、前記箸整列板を揺動させる構成、
のいずれかであることを特徴とする請求項１〜３のいずれかに記載の箸の繰出装置。
【請求項５】
２本の箸の繰出操作を行う前記繰出操作部材の操作アーム部が、繰出操作によって前記箸通過溝の下方から排出される前記２本の箸を該操作アーム部の上面で受け止めて該上面を前記２本の箸を転がり移動及び／又は滑り移動させることで箸取出位置である装置正面側に送出する箸受取部を兼ねた構成であることを特徴とする請求項１〜４のいずれかに記載の箸の繰出装置。
【請求項６】
前記箸落下出口が箸２本分が通過可能な間隔であり、前記箸受容溝が箸２本分の幅で且つ箸１本分の深さで形成されている構成であることを特徴とする請求項１〜５のいずれかに記載の箸の繰出装置。
【請求項７】
前記箸落下出口が箸１本分が通過可能な間隔であり、前記箸受容溝が箸１本分の幅で且つ箸２本分の深さで形成されている構成であることを特徴とする請求項１〜５のいずれかに記載の箸の繰出装置。
【請求項８】
前記箸整列板の箸落下出口側の端部に遊動ローラーが設けられた構成であることを特徴とする請求項４に記載の箸の繰出装置。
【請求項９】
前記箸収容部の底部の箸落下出口に臨む部分に遊動ローラーが設けられた構成であることを特徴とする請求項１〜８のいずれかに記載の箸の繰出装置。
【請求項１０】
殺菌・滅菌・減菌手段が備えられた構成であることを特徴とする請求項１〜９のいずれかに記載の箸の繰出装置。
【考案の詳細な説明】
【技術分野】
【０００１】
本考案は箸の繰出装置に関し、詳しくはバラ状態に収容された複数本の箸束から１膳分（２本）ずつ取り出すことができる箸の繰出装置に関する。
【背景技術】
【０００２】
蕎麦屋・ラーメン屋等の飲食店や社員食堂のように低廉なコストで飲食物を提供する飲食施設においては、箸は割り箸が用いられるのがこれまでは一般的であった。
【０００３】
日本国内において用いられている割り箸は大半が中国製であるが、環境保護（森林保護）等の観点から中国では生産制限や輸出停止の恐れが出始めている。
【０００４】
そこで割り箸の代替箸として、シンジオタクチックポリスチレン（ＳＰＳ）等のエンジニアリングプラスチック（エンプラ）製の箸が用いられ始めている。
【０００５】
エンプラ製の箸は、割り箸とは異なり、木材資源の大量消費という問題がないだけでなく、洗浄による繰り返し使用が可能であるという著しい利点を有している。
【０００６】
またエンプラ製の箸は、使用するまでは１膳ずつが結合状態にある割り箸とは異なり、１本１本がバラ状態で形成されている。飲食施設で用いる場合、１本１本がバラ状態の箸は複数本を筒型容器（箸立て）に立てた状態で投げ入れ収納したり、或いは、蓋付き横型容器（箸ケース）に横倒し状態に収納しておき、使用時に利用者は、この複数本のバラ状態の箸束の中から１膳分である２本を取り出して用いることになる。
【０００７】
このため、利用者が複数本の箸束の中から一膳分（２本）の箸を取り出す際に、取り出そうとする２本だけでなく収容されている他の箸に手指が触れてしまい不衛生であるという問題点を有している。
【０００８】
尚、一膳分ずつ個別包装された箸の場合には、例えば、特許文献１及び２に示されるように、搬送チェーンや搬送ベルトによって個別包装された箸を一膳ずつ供給する技術によって、収容されている他の箸に触れることなく一膳分の箸を取り出すことが可能な技術が既に知られている。
【先行技術文献】
【特許文献】
【０００９】
【特許文献１】特開平０５−０８９３３８号
【特許文献２】特開平０１−１２０６９８号
【考案の概要】
【考案が解決しようとする課題】
【００１０】
しかし、特許文献１及び２に示す技術では、予め一膳分ずつ個別包装された箸を一膳ずつ供給する構成であるため、１本１本バラ状態に収容された複数本の箸束の中から２本のみを確実に供給することは大きな設計変更を必要とするため困難である。
【００１１】
そこで本考案の課題は、バラ状態に収容された複数本の箸束から１膳分（２本）ずつ確実に且つ衛生的に取り出すことができる箸の繰出装置を提供することにある。
【課題を解決するための手段】
【００１２】
上記課題を解決する本考案は下記構成を有する。
【００１３】
１．１本１本独立したバラ状態の複数本の箸を横倒し状態で収容可能であり、底部に箸の長手方向に形成されると共に１本分又は２本分の箸が通過可能な間隔を有する間隙から成る箸落下出口が設けられたホッパー状の箸収容部と、
該箸収容部の箸落下出口の直下に上面が当接乃至は近接した状態で配設され、前記箸落下出口から落下する２本の箸を受容する箸受容溝が形成されると共に、箸の長手方向と直交する略水平方向に移動・復帰する進退動作可能な板部材である箸受容スライド部材と、
前記箸受容スライド部材が進退動作可能に載置されると共に、前記箸受容溝に受容した２本の箸を上方から下方に通過させる箸通過溝が形成されたスライド部材支持部と、
前記箸受容スライド部材の移動・復帰する進退動作を作動させて２本の箸の箸繰出操作を行うと共に、箸繰出操作によって前記箸通過溝を通過した２本の箸を受け止めて装置正面側の箸取出位置まで排出する構成を有する箸繰出操作部材と、
を有して成る箸の繰出装置であって、
前記箸受容スライド部材は、箸繰出しの非操作時は箸受容溝と前記箸落下出口との位置が連通状態となるように一致しており、箸繰出操作によって前記箸受容スライド部材が移動した時に箸受容溝と前記箸落下出口との位置が前記箸受容溝の上方が閉塞状態となるように不一致となる構成であり、
前記スライド部材支持部は、箸繰出しの非操作時は箸通過溝と前記箸受容溝との位置が不一致となることで前記箸受容溝の下方を閉塞しており、箸繰出操作によって前記箸受容スライド部材が移動した時に箸通過溝と前記箸受容溝との位置が一致することで前記箸受容溝と箸通過溝とが連通して前記箸受容溝内に受容された２本の箸を箸通過溝内を通過させて下方に排出する構成であり、
前記繰出操作部材は、前記スライド部材支持部の下方である繰出装置内の下部に配設される操作本体部と、該操作本体部の手前側上部から箸排出方向に延伸状態に連設した操作アーム部とを有して成り、
操作本体部は、該操作本体部の前傾と前記箸受容スライド部材の移動とが連動する構成であり、
操作アーム部は、２本の箸を前記箸受容溝から箸通過溝を通過させて該箸通過溝から下方に排出させて前記２本の箸を繰出す構成であること、
を特徴とする箸の繰出装置。
【００１４】
２．前記操作本体部は、該操作本体部の手前側下部において、箸の長手方向と平行の水平方向に配設された回動軸に軸支されることで前記箸受容部の移動方向と同様の方向である手前方向に前傾可能に支持されており、且つ、該操作本体部の上部が連結部材を介して前記箸受容スライド部材と接続されることで該操作本体部の前傾と前記箸受容スライド部材の移動とが連動する構成であることを特徴とする上記１に記載の箸の繰出装置。
【００１５】
３．前記操作アーム部は、該操作アーム部を下方に向けて押し下げ操作することで該操作アーム部と連設する操作本体部を前傾可能であり、且つ前記押し下げ操作によって前記箸受容スライド部材を移動させて２本の箸を前記箸受容溝から箸通過溝を通過させて該箸通過溝から下方に排出させて前記２本の箸を繰出す構成であることを特徴とする上記１又は２に記載の箸の繰出装置。
【００１６】
４．前記箸収容部の底部の少なくとも一部が、箸の長手方向と平行に配設された回動軸に揺動可能に軸支された板部材から成る箸整列板であり、
該箸整列板を揺動させる構成が、
（１）前記箸受容スライド部材の上面の少なくとも一部に突起が設けられ、該箸受容スライド部材が移動した際に前記箸整列板の下面に当接して前記箸整列板を揺動させる構成、
（２）前記箸受容スライド部材の上面の少なくとも一部に凹溝が設けられ、該箸受容スライド部材が移動した際に、該箸受容スライド部材と接する前記箸整列板の一部が前記凹溝内に入り込むことで前記箸整列板を揺動させる構成、
（３）前記箸整列板の下面の少なくとも一部に突起が設けられ、前記箸受容スライド部材が移動した際に前記箸受容スライド部材の上面に当接して前記箸整列板を揺動させる構成、
（４）上記（１）〜（３）に示す全てを組み合わせた構成、又は選択した２つを組み合わせた構成により、前記箸整列板を揺動させる構成、
のいずれかであることを特徴とする上記１〜３のいずれかに記載の箸の繰出装置。
【００１７】
５．２本の箸の繰出操作を行う前記繰出操作部材の操作アーム部が、繰出操作によって前記箸通過溝の下方から排出される前記２本の箸を該操作アーム部の上面で受け止めて該上面を前記２本の箸を転がり移動及び／又は滑り移動させることで箸取出位置である装置正面側に送出する箸受取部を兼ねた構成であることを特徴とする上記１〜４のいずれかに記載の箸の繰出装置。
【００１８】
６．前記箸落下出口が箸２本分が通過可能な間隔であり、前記箸受容溝が箸２本分の幅で且つ箸１本分の深さで形成されている構成であることを特徴とする上記１〜５のいずれかに記載の箸の繰出装置。
【００１９】
７．前記箸落下出口が箸１本分が通過可能な間隔であり、前記箸受容溝が箸１本分の幅で且つ箸２本分の深さで形成されている構成であることを特徴とする上記１〜５のいずれかに記載の箸の繰出装置。
【００２０】
８．前記箸整列板の箸落下出口側の端部に遊動ローラーが設けられた構成であることを特徴とする上記４に記載の箸の繰出装置。
【００２１】
９．前記箸収容部の底部の箸落下出口に臨む部分に遊動ローラーが設けられた構成であることを特徴とする上記１〜８のいずれかに記載の箸の繰出装置。
【００２２】
１０．殺菌・滅菌・減菌手段が備えられた構成であることを特徴とする上記１〜９のいずれかに記載の箸の繰出装置。
【考案の効果】
【００２３】
請求項１に示す考案によれば、バラ状態に収容された複数本の箸束から１膳分（２本）ずつ確実に且つ衛生的に取り出すことができる箸の繰出装置を提供することができる。
【００２４】
特に、搬送ベルトや搬送チェーン等の複雑な搬送機構を用いることなく、機械構成として極めて簡易な低コスト構成によって２本の箸を確実に繰出すことができる。
【００２５】
また、箸を取り出す部分以外を実質的に閉塞することができるので箸収容部内に収容された複数本の箸を衛生的に保つことができる。更に、箸の取出しに際しては、利用者が触れるのは繰出された１膳分（２本）の箸のみであり、収容部内の他の箸に触れることがないので極めて衛生的である。
【００２６】
請求項２に示す考案によれば、箸受容スライド部材の略水平方向の進退動作を操作本体部の前傾によって行うことができる。
【００２７】
請求項３に示す考案によれば、箸受容スライド部材の移動と連動する操作本体部の前傾を操作アーム部の押し下げ操作によって行うことができる。
【００２８】
請求項４に示す考案によれば、箸整列板を揺動させて箸収容部内の複数の箸を整列させながら繰出しを行う構成によって、箸受容溝に２本の箸を確実に受容させることができるので、１膳分（２本）の箸を確実に取り出すことができる。
【００２９】
請求項５に示す考案によれば、箸繰出操作を行うために押し下げ操作する操作アーム部が箸受取部を兼ねているので、前記操作によって繰出された２本の箸を押し下げ操作後に直ちに受け取ることができる。
【００３０】
請求項６又は７に示す考案によれば、箸受容溝に２本の箸を受容することができるので箸繰出操作による箸受容スライド部材の移動動作により箸受容溝内の受容した２本の箸を繰出すことができる。
【００３１】
請求項８に示す考案によれば、箸整列板の箸落下出口側の端部上に位置する箸を箸落下出口である箸収容部底部の間隙内に箸を確実に案内することができる。
【００３２】
請求項９に示す考案によれば、箸落下出口である箸収容部底部の間隙内に箸を確実に案内することができる。
【００３３】
請求項１０に示す考案によれば、収容した箸の殺菌・滅菌・減菌を行うことで収容した箸を衛生的に保つことができる。
【図面の簡単な説明】
【００３４】
【図１】本考案に係る箸の繰出装置の一実施例を示す概略横断面説明図
【図２】図１に示す箸の繰出装置の操作時を示す概略横断面説明図
【図３】図１に示す箸の繰出装置の概略正面図
【図４】図１に示す箸の繰出装置の概略平面図
【図５】本考案に示す箸の繰出装置の他の実施例の一構成である箸整列板の揺動構成の一例の動作状態を説明する概略横断面説明図
【図６】本考案に示す箸の繰出装置の他の実施例の一構成である箸整列板の揺動構成の他の例の動作状態を説明する概略横断面説明図
【図７】箸落下出口及び箸受容溝の他の例を示す概略横断面説明図
【考案を実施するための形態】
【００３５】
次に、添付の図面に従って本考案を詳細に説明する。
【００３６】
本考案に係る箸の繰出装置（以下、単に繰出装置と言うこともある。）１の具体的構成としては、図１〜図４に示すように、１本１本独立したバラ状態の複数本の箸Ｈを横倒し状態で収容可能であり、底部に箸Ｈの長手方向に形成されると共に２本分の箸Ｈが通過可能な間隔を有する間隙から成る箸落下出口２１が設けられたホッパー状の箸収容部２と、
該箸収容部２の箸落下出口２１の直下に上面３Ａが当接乃至は近接した状態で配設され、前記箸落下出口２１から落下する２本の箸Ｈを受容する箸受容溝３１が形成されると共に、箸Ｈの長手方向と直交する略水平方向に移動・復帰する進退動作可能な板部材である箸受容スライド部材３と、
前記箸受容スライド部材３が進退動作可能に載置されると共に、前記箸受容溝３１に受容した２本の箸Ｈを上方から下方に通過させる箸通過溝４１が形成されたスライド部材支持部４と、
前記箸受容スライド部材３の移動・復帰する進退動作を作動させて２本の箸Ｈの箸繰出操作を行うと共に、箸繰出操作によって前記箸通過溝４１を通過した２本の箸Ｈを受け止めて装置正面側の箸取出位置まで排出する構成を有する箸繰出操作部材５と、
を有して成る構成である。
【００３７】
前記箸受容スライド部材３は、箸繰出しの非操作時は箸受容溝３１と前記箸落下出口２１との位置が連通状態となるように一致しており、箸繰出操作によって前記箸受容スライド部材３が移動した時に箸受容溝３１と前記箸落下出口２１との位置が前記箸受容溝３１の上方が閉塞状態となるように不一致となる構成である。
【００３８】
前記スライド部材支持部４は、箸繰出しの非操作時は箸通過溝４１と前記箸受容溝３１との位置が不一致となることで前記箸受容溝３１の下方を閉塞しており、箸繰出操作によって前記箸受容スライド部材３が移動した時に箸通過溝４１と前記箸受容溝３１との位置が一致することで前記箸受容溝３１と箸通過溝４１とが連通して前記箸受容溝３１内に受容された２本の箸Ｈを箸通過溝４１内を通過させて下方に排出する構成である。
【００３９】
前記繰出操作部材５は、前記スライド部材支持部４の下方である繰出装置１内の下部に配設される操作本体部５１と、該操作本体部５１の手前側上部から箸排出方向に延伸状態に連設した操作アーム部５２とを有して成る構成である。
【００４０】
前記操作本体部５１は、該操作本体部５１の前傾と前記箸受容スライド部材３の移動とが連動する構成であり、より具体的には、該操作本体部５１の手前側下部において、箸Ｈの長手方向と平行の水平方向に配設された回動軸５３に軸支されることで前記箸受容部３１の移動方向と同様の方向である手前方向に前傾可能に支持されており、且つ、該操作本体部５１の上部が連結部材６を介して前記箸受容スライド部材３と接続されることで該操作本体部５１の前傾と前記箸受容スライド部材３の移動とが連動する構成である。前記操作本体部５１と前記箸受容スライド部材３との接続は、本実施例では接続回動軸５４によって軸接続した構成となっている。
【００４１】
前記操作アーム部５２は、２本の箸Ｈを前記箸受容溝３１から箸通過溝４１を通過させて該箸通過溝４１から下方に排出させて前記２本の箸Ｈを繰出す構成であり、より具体的には、該操作アーム部５２を下方に向けて押し下げ操作することで該操作アーム部５２と連設する前記操作本体部５１を前傾可能であり、且つ前記押し下げ操作によって前記箸受容スライド部材３を移動させて２本の箸Ｈを前記箸受容溝３１から箸通過溝４１を通過させて該箸通過溝４１から下方に排出させて前記２本の箸Ｈを繰出す構成である。
【００４２】
操作アーム部５２の押し下げ操作により前傾する操作本体部５１は、押し下げ操作前の元の位置に自動復帰できるように図１及び図２に示すようなスプリング材等の付勢部材５５によって繰出装置１本体と付勢接続されていることが好ましい。付勢部材５５としては、図示のコイルバネに限らず、回動軸５３に巻き回したトーションバネ等を用いてもよい。
【００４３】
繰出装置１の本体（前面板、背面板、両側面板、底板等から成る本体）の基本構成は透明・半透明・不透明等の合成樹脂製板材や金属製板材、或いは木製板等により形成されており、上記した各部の構成や詳細に説明する下記構成等が組み込まれている。
【００４４】
本考案の繰出装置１によって繰出される箸Ｈは、１膳分（２本）ずつ個別包装されたもの（箸袋入りの箸）や一部結合状態となった組状態のもの（割り箸）ではなく、１本１本が独立した箸Ｈであり、竹・木・金属・合成樹脂等から形成され、好ましくはシンジオタクチックポリスチレン（ＳＰＳ）等のエンジニアリングプラスチック（エンプラ）から形成されたものである。また、該箸Ｈの形状としては、一端又は両端が先細り状になっていることが好ましく、断面が円形になっていることがより好ましいが、断面が五角形や四角形であってもよい。
【００４５】
本実施例における箸収容部２は、その底部が２枚の固定底板２２・２３を傾斜状態に固定することでホッパー状に構成されており、該固定底板２２と固定底板２３との間隙が箸落下出口２１となっている。従って、箸収容部２内に収容されたバラ状態の複数本の箸Ｈは該箸Ｈの繰出しに伴って２枚の固定底板２２・２３の間隙である箸落下出口２１に向かって移動することになる。
【００４６】
尚、図４に示すように、箸収容部２の底部の箸落下出口２１に臨む部分、即ち、固定底板２２・２３の箸落下出口２１側の夫々の端部には、図４に示すように遊動ローラー２４・２５が設けられていることが好ましい。この遊動ローラー２４・２５により、固定底板２２・２３の箸落下出口２１側の端部上に位置する箸Ｈを箸落下出口２１である箸収容部２底部の間隙内により確実に案内することができる。
【００４７】
尚また、本考案者の実験によれば、固定底板２２・２３の両者の上面高さは、図１及び図２に示すように異なる高さに構成すると箸落下出口２１内への１膳分（２本）ずつの案内性が向上する。
【００４８】
箸落下出口２１から落下する箸Ｈは２本毎、該箸落下出口２１の直下に位置する箸受容スライド部材３の箸受容溝３１に受容される。箸受容溝３１は、箸２本分の幅で且つ箸１本分の深さで形成されているため、箸Ｈは一度に１つの箸受容溝３１に一膳分（２本）を受容することができる。箸Ｈを１膳分（２本）受容した状態で、箸受容スライド部材３が移動することで箸受容溝３１も共に移動することになる。
【００４９】
この箸受容スライド部材３１の移動によって、箸受容溝３１は上方が閉塞された状態、即ち、箸落下出口２１とは非連通状態となる。また、この箸受容スライド部材３の移動によって、箸受容溝３１の下方はスライド部材支持部４の箸通過溝４１と一致して連通することになる。そして、この箸受容溝３１と箸通過溝４１との連通によって、１膳分（２本）の箸Ｈはスライド部材支持部４の下方に排出することになる。
【００５０】
スライド部材支持部４の下方に排出された１膳分（２本）の箸Ｈは、本実施例では、繰出操作部材５の操作アーム部５２の上面５２Ａに落下し、この上面５２Ａで受け止められた箸Ｈは該上面５２Ａを装置正面側まで転がり移動及び／又は滑り移動することで箸取出位置である箸受取部５２Ｂまで送出されることになる。箸受取部５２Ｂまで送出された箸Ｈの逆走を防止するため、該箸受取部５２Ｂは図１及び図２に示すように箸Ｈが２本分入り込む凹部構成であることが好ましい。
【００５１】
１膳分（２本）の箸Ｈが箸受取部５２Ｂまで送出されることで、箸Ｈの使用者は箸繰出操作を行うために操作アーム部５２を押し下げ操作する後に直ちに１膳分（２本）の箸Ｈを受け取ることができる。
【００５２】
以上の構成を有する本考案の繰出装置１によれば、箸収容部２内に収容した複数本の箸Ｈの中から一膳分（２本）の箸Ｈのみを他の箸Ｈに触れることなく確実に且つ衛生的に取り出すことができる。
【００５３】
以上、本考案に係る箸の繰出装置の実施例について説明したが、本考案は上記実施例に限定されず、本考案の範囲内において種々の他の態様を採ることもできる。
【００５４】
ホッパー状を成す箸収容部２の底部は、上記した実施例では、傾斜状態に固定された２枚の固定底板２２・２３によって構成されていたが、本考案はこれに限定されず、該箸収容部２の底部の少なくとも一部を、箸Ｈの長手方向と平行に配設された回動軸に揺動可能に軸支された板部材から成る箸整列板とした構成としてもよい。
【００５５】
箸整列板の構成としては、例えば、図５又は図６に示す構成を挙げることができる。
図５に示す構成は、２枚の固定底板２２・２３に代えて、回動軸２２Ｂ・２３Ｂによって揺動可能に軸支された２枚の箸整列板２２Ａ・２３Ａとし、箸受容スライド部材３が進退動作した際に該箸整列板２２Ａ・２３Ａを揺動させるための突起３２・３３を箸受容スライド部材３の上面３Ａに設けた構成である。
【００５６】
図６に示す構成は、２枚の固定底板２２・２３の一方２２を、回動軸２２Ｂによって揺動可能に軸支されると共に箸落下出口２１側に遊動ローラー２４が設けられた箸整列板２２Ａに代え、箸受容スライド部材３が進退動作した際に該箸整列板２２Ａを揺動させるための凹溝３４・３４を箸受容スライド部材３の上面３Ａに設けた構成である。図６に示す構成では、凹溝３４は箸受容スライド部材３の上面３Ａの２箇所に設けることで、１回の繰出操作に対して移動時に２回揺動し、復帰時に２回揺動する構成となっている。
【００５７】
尚、箸整列板２２Ａ・２３Ａを揺動可能に軸支する部分としては、図５に示す実施例では、箸整列板２２Ａについては箸落下出口２１側とは反対側であり、箸整列板２３Ａでは箸落下出口２１側としているが、箸Ｈが箸収容部２内において整列して箸落下出口２１に確実に案内できるように箸整列板２２Ａ・２３Ａが揺動できる構成であればよく、箸整列板２２Ａ・２３Ａのいずれかの端部に限らず、端部近傍であってもよいし、中央部乃至は中央部近傍であってもよい。
【００５８】
尚また、箸整列板２２Ａ又は２３Ａは固定底板２２又は２３のいずれか一方のみとしてもよいし、固定底板２２及び／又は２３の一部分のみを揺動可能とすることで部分的に整列板を設ける構成としてもよい。揺動可能な箸整列板とした場合であっても該箸整列板の箸落下出口２１に臨む部分に遊動ローラー（図４の符号２４・２５参照）を設ける構成も好ましい。
【００５９】
尚また更に、図５に示す突起３２・３３は１つに限らず複数であってもよく、図６に示す凹溝３４の数は２つに限らず１つでもよいし３つ以上であってもよい。
【００６０】
箸整列板を揺動させる構成としては、
（１）前記箸受容スライド部材の上面の少なくとも一部に突起が設けられ、該箸受容スライド部材が移動した際に前記箸整列板の下面に当接して前記箸整列板を揺動させる構成（図５に示す構成）、
（２）前記箸受容スライド部材の上面の少なくとも一部に凹溝が設けられ、該箸受容スライド部材が移動した際に、該箸受容スライド部材と接する前記箸整列板の一部が前記凹溝内に入り込むことで前記箸整列板を揺動させる構成（図６に示す構成）、
（３）前記箸整列板の下面の少なくとも一部に突起が設けられ、前記箸受容スライド部材が移動した際に前記箸受容スライド部材の上面に当接して前記箸整列板を揺動させる構成、
（４）上記（１）〜（３）に示す全てを組み合わせた構成、又は選択した２つを組み合わせた構成により、前記箸整列板を揺動させる構成、
のいずれかを挙げることができる。
【００６１】
一膳分（２本）の箸Ｈを受容する箸受容溝３１は、上記した実施例では、箸２本分の幅で且つ箸１本分の深さで形成された構成となっているが、本考案はこれに限定されず、１回の繰出しで一膳分（２本）が繰出可能な構成であればよく、例えば、図７に示すように箸１本分の幅で且つ箸２本分の深さで形成された構成でもよい。
【００６２】
箸収容部２内に収容する箸Ｈは、予め、洗浄が行われることで殺菌・滅菌・減菌されたものが収容されることは勿論であるが、箸収容部２内に収容されている状態でも衛生的環境を維持するために、上記実施例では箸収容部２の上方を開放状態として説明しているが、該箸収容部２は蓋体等によって閉塞構成とされていることが好ましく、更に、図３に仮想線で示すように箸収容部２内に紫外線照射手段やオゾン発生器等の殺菌・滅菌・減菌手段７を備えることが好ましい。
【００６３】
また、繰出装置１は、箸Ｈを収容する箸収容部２の部分と、箸受容スライド部材３・スライド部材支持部４・箸繰出操作部材５が組み込まれた繰出機構の部分とを別体構成とすることで上下に分離可能な構成としてもよい。この場合、箸収容部２をカセット式とすることで、該箸収容部２内の箸Ｈが全て繰出されて無くなった時点で箸収容部２のみを箸Ｈが多数収容されている新たな別なる箸収容部２と交換することができる。箸収容部２を交換可能なカセット式構成とすることにより、箸収容部２内への箸Ｈの収容を客席等の不特定多数の利用客が居る環境下ではなく、衛生環境の整った調理室等で行うことが可能である。
【符号の説明】
【００６４】
１  箸の繰出装置
１１  装置底板
２  箸収容部
２１  箸落下出口
２２  固定底板
２２Ａ  箸整列板
２２Ｂ  回動軸
２３  固定底板
２３Ａ  箸整列板
２３Ｂ  回動軸
２４  遊動ローラー
２５  遊動ローラー
３  箸受容スライド部材
３Ａ  上面
３１  箸受容溝
３２  突起
３３  突起
３４  凹溝
４  スライド部材支持部
４１  箸通過溝
５  箸繰出操作部材
５１  操作本体部
５２  操作アーム部
５２Ａ  上面
５３  回動軸
５４  接続回動軸
５５  付勢部材
６  連結部材
７  殺菌・滅菌・減菌手段
Ｈ  箸
【図１】
0003156668.tif 000003
【図２】
0003156668.tif 000004
【図３】
0003156668.tif 000005
【図４】
0003156668.tif 000006
【図５】
0003156668.tif 000007
【図６】
0003156668.tif 000008
【図７】
0003156668.tif 000009